【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
太陽エネルギーシステムを統合するための積層されたグレージングユニットであって、２つの主面によって区切られた基板と、２つの主面によって区切られた多層の干渉フィルタとを含み、一方の主面で前記基板と、他方の主面で積層ポリマと接触するように適用され；前記基板は、屈折率ｎinc＝１を有する入射媒体と接触し、５５０ｎｍで１．４５≦ｎsubstrate≦１．６と定義される屈折率ｎsubstrateを有し；前記積層ポリマは、屈折率が５５０ｎｍで１．４５≦ｎexit≦１．６と定義される出射媒体としてみなされ；ここで、前記ユニットは、以下の要件が満たされるように設計される、すなわち：
１ａ）昼光照明ＣＩＥ−Ｄ６５下で、ＣＩＥ色座標Ｌ*、ａ*、およびｂ*に従って、
【数１】
2016500799.tif 000001
によって与えられる色の飽和度は、灰色および茶色を除いて、法線に近い反射角で８より高く、
１ｂ）法線に近い反射角Ｒvisにおける可視反射率は４％より高く、
１ｃ）反射角θrが変動するときの反射の支配色ＭDの主波長λMDの変動は、θr＜６０°に対して１５ｎｍより小さく、
１ｄ）法線に近い入射における総半球日射透過率は８０％を上回る、前記グレージングユニット。
【請求項２】
たとえば酸エッチングなどの化学処理によって得られる光を拡散する粗い外面を含む、請求項１に記載のグレージングユニット。
【請求項３】
酸エッチング処理を使用して前記外面の反射防止特性を生じさせ、したがって前記システムの光学特性を強化し：法線入射における光ビームの日射透過率は、未処理の表面よりエッチングされた表面に対して約３％高い、請求項１または２に記載のグレージングユニット。
【請求項４】
積層グレージングの裏側に任意選択の反射防止コーティングを施して太陽熱の応用例に
対してシステムの光学特性を強化し：法線入射における光ビームの日射透過率は、未処理の表面より反射防止コーティングが施される表面で約３％高い、請求項１〜３のいずれか１項に記載のグレージングユニット。
【請求項５】
９０％より高い日射透過率を特徴とし、太陽エネルギーシステムの最大効率に適している、太陽ロールガラス、極白色フロートガラス（鉄含有率は１２０ｐｐｍ未満）、または高分子材料（ＰＥＴ、ＰＥＮ、ＰＦＡ、ＦＥＰ、ＥＴＦＥ、ＰＴＦＥ．．．）を含む、請求項１〜５のいずれか１項に記載のグレージングユニット。
【請求項６】
太陽ロールガラスが平坦かまたはテキスチャ付きである、請求項１〜５のいずれか１項に記載のグレージングユニット。
【請求項７】
ＥＶＡなどのエラストマ架橋ポリマ、ＰＶＢなどの熱可塑性生成物、またはイオノプラスチックポリマ（ｉｏｎｏｐｌａｓｔｉｃ  ｐｏｌｙｍｅｒ）を使用して、ガラスまたはポリマ窓を積層によってともに接合し、ユニットの日射透過率は、０．４〜０．５ｍｍのポリマ厚さに対して９２％より高い、請求項１〜６のいずれか１項に記載のグレージングユニット。
【請求項８】
前記干渉性フィルタは、最高９つの厚さ最高４００ｎｍの誘電体層からなる多層の干渉性スタックであり、波長λが４５０ｎｍ≦λ≦２５００ｎｍの場合、消衰係数ｋ≦０．２によって表される低い吸収率を有する、請求項１〜７のいずれか１項に記載のグレージングユニット。
【請求項９】
前記干渉フィルタは、５５０ｎｍで１．４５≦ｎｓｕｂｓｔｒａｔｅ≦１．６を有するガラスまたはポリマ基板上に堆積され、５５０ｎｍで１．４≦ｎＬ≦２．２を有する低屈折率材料Ｌと５５０ｎｍで１．８≦ｎＨ≦２．５を有する高屈折率材料Ｈとに基づく３つの副層によって構成された緑色の反射を有し；概略的な設計は：
空気の入射媒体／／基板／／３０±１２ｎｍのＨ／２５±１２ｎｍのＬ／３２０±１２ｎｍのＨ／／ポリマの出射媒体である、請求項１〜８のいずれか１項に記載のグレージングユニット。
【請求項１０】
前記干渉フィルタは、５５０ｎｍで１．４５≦ｎｓｕｂｓｔｒａｔｅ≦１．６を有するガラスまたはポリマ基板上に堆積され、５５０ｎｍで１．４≦ｎＬ≦２．２を有する低屈折率材料Ｌと５５０ｎｍで１．８≦ｎＨ≦２．５を有する高屈折率材料Ｈとに基づく５つの副層によって構成された緑色の反射を有し；概略的な設計は：
空気の入射媒体／／基板／／１８５±１２ｎｍのＨ／２５±１２ｎｍのＬ／３５±１２ｎｍのＨ／３５±１２ｎｍのＬ／１３０±１２ｎｍのＨ／／ポリマの出射媒体である、請求項１〜８のいずれか１項に記載のグレージングユニット。
【請求項１１】
前記干渉フィルタは、５５０ｎｍで１．４５≦ｎｓｕｂｓｔｒａｔｅ≦１．６を有するガラスまたはポリマ基板上に堆積され、５５０ｎｍで１．４≦ｎＬ≦２．２を有する低屈折率材料Ｌと５５０ｎｍで１．８≦ｎＨ≦２．５を有する高屈折率材料Ｈとに基づく７つの副層によって構成された緑色の反射を有し；概略的な設計は：
空気の入射媒体／／基板／／１６０±１２ｎｍのＨ／１３０±１２ｎｍのＬ／６５±１２ｎｍのＨ／２５±１２ｎｍのＬ／７０±１２ｎｍのＨ／１６０±１２ｎｍのＬ／１００±１２ｎｍのＨ／／ポリマの出射媒体である、請求項１〜８のいずれか１項に記載のグレージングユニット。
【請求項１２】
５５０ｎｍで１．４５≦ｎｓｕｂｓｔｒａｔｅ≦１．６を有するガラスまたはポリマ基板上に堆積され、５５０ｎｍで１．４≦ｎＬ≦１．８を有する低屈折率材料Ｌと５５０ｎ
ｍで１．８≦ｎＨ≦２．５を有する高屈折率材料Ｈとに基づく３つの副層によって構成された青色の反射を有する干渉フィルタを含み；それによって、多層設計は：
空気の入射媒体／／基板／４５±１２ｎｍのＨ／７０±１２ｎｍのＬ／４５±１２ｎｍのＨ／／ポリマの出射媒体に対応する、請求項１〜８のいずれか１項に記載のグレージングユニット。
【請求項１３】
５５０ｎｍで１．４５≦ｎｓｕｂｓｔｒａｔｅ≦１．６を有するガラスまたはポリマ基板上に堆積され、５５０ｎｍで１．６５≦ｎＬ≦２．１を有する低屈折率材料Ｌと５５０ｎｍで１．８≦ｎＨ≦２．５を有する高屈折率材料Ｈとに基づく５つの副層によって構成された黄緑色の反射を有する干渉フィルタを含み；それによって、多層設計は：
空気の入射媒体／／基板／１７５±１２ｎｍのＨ／８５±１２ｎｍのＬ／５０±１２ｎｍのＨ／２５±１２ｎｍのＬ／３００±１２ｎｍのＨ／／ポリマの出射媒体に対応する、請求項１〜８のいずれか１項に記載のグレージングユニット。
【請求項１４】
５５０ｎｍで１．４５≦ｎｓｕｂｓｔｒａｔｅ≦１．６を有するガラスまたはポリマ基板上に堆積され、５５０ｎｍで１．４≦ｎＬ≦１．８を有する低屈折率材料Ｌと５５０ｎｍで１．８≦ｎＨ≦２．５を有する高屈折率材料Ｈとに基づく７つの副層によって構成された黄色がかった橙色の反射を有する干渉フィルタを含み；それによって、多層設計は：
空気の入射媒体／／基板／１２０±１２ｎｍのＨ／１２０±１２ｎｍのＬ／９５±１２ｎｍのＨ／９０±１２ｎｍのＬ／９０±１２ｎｍのＨ／９５±１２ｎｍのＬ／１００±１２ｎｍのＨ／／ポリマの出射媒体に対応する、請求項１〜８のいずれか１項に記載のグレージングユニット。
【請求項１５】
５５０ｎｍで１．４５≦ｎｓｕｂｓｔｒａｔｅ≦１．６を有するガラスまたはポリマ基板上に堆積され、５５０ｎｍで１．４≦ｎＬ≦１．８を有する低屈折率材料Ｌと５５０ｎｍで１．８≦ｎＨ≦２．５を有する高屈折率材料Ｈとに基づく２つの副層によって構成された灰色の反射を有する干渉フィルタを含み；それによって、多層設計は：
空気の入射媒体／／基板／／４０±１５ｎｍのＨ／７５±３０ｎｍのＬ／／ポリマの出射媒体に対応する、請求項１〜８のいずれか１項に記載のグレージングユニット。
【請求項１６】
５５０ｎｍで１．４５≦ｎｓｕｂｓｔｒａｔｅ≦１．６を有するガラスまたはポリマ基板上に堆積され、５５０ｎｍで１．６５≦ｎＬ≦２．１を有する低屈折率材料Ｌと５５０ｎｍで１．８≦ｎＨ≦２．５を有する高屈折率材料Ｈとに基づく４つの副層によって構成された茶色の反射を有する干渉フィルタを含み；それによって、多層設計は：
空気の入射媒体／／基板／／５０±１２ｎｍのＨ／９０±１２ｎｍのＬ／６５±１２ｎｍのＨ／５５±１２ｎｍのＬ／／ポリマの出射媒体に対応する、請求項１〜８のいずれか１項に記載のグレージングユニット。
【請求項１７】
ファサードの応用例における安全性のために熱処理（熱強化または完全に焼き戻し）された１つまたはそれ以上のガラス窓（複数可）を含む、請求項１〜１６のいずれか１項に記載のグレージングユニット。
【請求項１８】
請求項１〜１７のいずれか１項に記載の積層グレージングを含む太陽エネルギーシステム。
【請求項１９】
熱収集器を含み、ここで、グレージングは該太陽熱収集器に直接接着される、請求項１８に記載の太陽エネルギーシステム。
【請求項２０】
太陽光グレージングは収集器の枠より大きい、請求項１９に記載の太陽エネルギーシステム。
【請求項２１】
積層グレージング内に完全に統合された活性のシステム（シリコンセル、ＰＶ薄膜、接点、後方反射器．．．）を有するＰＶシステムを含む、請求項１８に記載の太陽エネルギーシステム。
【請求項２２】
請求項１８〜２１のいずれか１項に記載の太陽エネルギーシステムを含む太陽光屋根または建物ファサード。
【請求項２３】
太陽エネルギーシステムは、グレージングに取り付けられた固定具によって吊るされる、請求項２２に記載の太陽光屋根または建物ファサード。
【請求項２４】
積層グレージングが重複する、請求項２２または２３に記載の太陽光屋根または建物ファサード。